(57)【要約】【課題】  ディスプレー部分およびトランザクションカードを備えているカード集合体を提供する。【解決手段】  ディスプレー部分は、ほぼ平らな基質を備えている。トランザクションカードは、ほぼ平らな基質を備えている。トランザクションカードは、第１および第２の短縁および第１および第２の長縁を有するほぼ矩形でほぼ平らな基質を備えている。更に、トランザクションカードは、カード識別番号がコード化されている少なくとも１つの磁気ストライプを備えている。この少なくとも１つの磁気ストライプは、長縁とほぼ平行である。トランザクションカードは、短縁のうちの一方に沿って位置決めされた連結境界面のところでディスプレー部分に取外し可能に連結されている。カード集合体は、トランザクションカードがまだディスプレー部分に取付けられている間に、トランザクションカードをカード読取り装置に挿入することができるように、構成されてもよい。【選択図】      図１
2005319806.tif 000002
【特許請求の範囲】
【請求項１】
ほぼ平らな基質を備えているディスプレー部分と、
第１および第２の短縁および第１および第２の長縁を有し、ほぼ矩形でほぼ平らな基質を備え、更に、カード識別番号がコード化されていて、前記長縁とほぼ平行である少なくとも１つの磁気ストライプを備えているトランザクションカードと、を具備しており、
前記トランザクションカードは、前記短縁のうちの１つに沿って位置決めされた連結境界面のところで前記ディスプレー部分に取外し可能に接合されている、カード集合体。
【請求項２】
前記ディスプレー部分とトランザクションカードとは、単一の平らな部材として一体に形成されている、請求項１に記載のカード集合体。
【請求項３】
前記連結境界面は、折り曲げ、破断、切断、切り開きまたは剥ぎ取りによって前記ディスプレー部分を前記トランザクションカードから分離し易くするのに役立つ薄弱線よりなる、請求項２に記載のカード集合体。
【請求項４】
薄弱線が、前記単一の平らな部材に孔をあけることにより形成されている、請求項２に記載のカード集合体。
【請求項５】
薄弱線が、前記単一の平らな部材に刻み目をつけることにより形成されている、請求項２に記載のカード集合体。
【請求項６】
機械読取り可能な前記磁気ストライプは、クレジットおよびデビットカードリーダーにより読取り可能である、請求項１に記載のカード集合体。
【請求項７】
前記ディスプレー部分は、更に、前記取外し可能な接合部に隣接して、トランザクション記憶媒体の向かい側の使用制限された面領域を有しており、この使用制限された面領域は、前記磁気ストライプが取外し接合部を横切ってディスプレー部分上まで延びていれば、前記磁気ストライプがディスプレー部分に重なるディスプレー部分の領域よりなる、請求項１に記載のカード集合体。
【請求項８】
前記使用制限された面領域は、いずれの機械読取り可能な記憶媒体も無い、請求項７に記載のカード集合体。
【請求項９】
少なくとも１つの第１の機械読取り可能な記憶媒体を具備しており、この少なくとも１つの第１の機械読取り可能な有効化記憶媒体は、少なくとも１つの第２の機械読取り可能な記憶媒体を更に備えている少なくとも１つの磁気ストライプである、請求項１に記載のカード集合体。
【請求項１０】
前記少なくとも１つの第２の機械読取り可能な記憶媒体は、記憶された有効化データを有しており、この有効化記憶データは、データベースにおいてアカウントと関連されている、請求項９に記載のカード集合体。
【請求項１１】
前記アカウントは、カード識別番号と関連されている、請求項９に記載のカード集合体。
【請求項１２】
前記少なくとも１つの第２の機械読取り可能な記憶媒体は、少なくとも１つの第２の磁気ストライプを有している、請求項９に記載のカード集合体。
【請求項１３】
前記少なくとも１つの第２の機械読取り可能な記憶媒体は、製品識別番号がコード化されているバーコードを有している、請求項９に記載のカード集合体。
【請求項１４】
前記有効化記憶媒体は、ディスプレー部分に配置されている、請求項９に記載のカード集合体。
【請求項１５】
前記有効化記憶媒体は、トランザクションカードに配置されている、請求項９に記載のカード集合体。
【請求項１６】
有効化部分は、商店ディスプレーにカード集合体を掛けるために形成された掛け孔を備えている、請求項１に記載のカード集合体。
【請求項１７】
ディスプレー部分およびトランザクションカードは、各々、ほぼ矩形の形状を有している、請求項１に記載のカード集合体。
【請求項１８】
前記トランザクションカードとディスプレー部分とは、ほぼ同じ基質で構成されており、前記ディスプレー部分とトランザクションカードとは、ほぼ同じ長さ、幅および厚さを有している、請求項１７に記載のカード集合体。
【請求項１９】
カード集合体を有効化する方法であって、
ほぼ矩形でほぼ平らな基質、および商店のディスプレーにカード集合体を掛けるための掛け孔を備えているディスプレー部分と、
第１および第２の短縁および第１および第２の長縁を有するほぼ平らな基質を備えており、またカード識別番号がコード化されていて、前記長縁とほぼ平行である少なくとも１つの磁気ストライプを備えており、そして前記短縁のうちの１つに沿って位置決めされた連結境界面のところで前記ディスプレー部分に取外し可能に連結されているトランザクションカードと、
を備えているカード集合体を商店において表示することと、
トランザクションカードがディスプレー部分の連結されている間に、短縁のうちの少なくとも１つおよび長縁の各々の少なくとも四分の１が磁気ストライプカードリーダーの内側になるようにトランザクションカードを磁気ストライプリーダーに挿入することによって、カード識別番号を商業端末機に入力することと、
カード識別番号を中央プロセッサに入力することよりなる、トランザクションカードを有効化するための依頼を中央プロセッサに送ることと、を具備しているカード集合体を有効化する方法。
【請求項２０】
ほぼ平らな基質を備えているディスプレー部分と、
第１および第２の短縁および第１および第２の長縁を有するほぼ矩形でほぼ平らな基質を備えており、更に、カード識別番号がコード化されていて、前記短縁とほぼ平行である少なくとも１つの磁気ストライプを備えているトランザクションカードと、を具備しており、前記トランザクションカードおよび前記ディスプレー部分は、ほぼ同じ基質で構成されていて、単一の平らな部材として一体に形成されており、前記トランザクションカードは、前記短縁のうちの１つに沿って位置決めされた薄弱線のところで前記ディスプレー部分に取外し可能に連結されており、そして
前記ディスプレー部分およびトランザクションカードのうちの少なくとも一方に配置され、磁気ストライプまたはバーコードのうちの少なくとも一方よりなる第２の機械読取り記憶媒体を具備している、カード集合体。
【発明の詳細な説明】
【関連出願】
【０００１】
本願は、「垂直な磁気ストライプを有するカード集合体」と称する２００４年５月７日に出願された米国仮り出願第６０／５６９，４６６号（その開示はその全体として参照によりここに組み入れられる）の優先権を請求している。
【技術分野】
【０００２】
本発明は、カード集合体に関する。より詳細には、本発明は、トランザクション部分に取外し可能に連結されたディスプレー部分を備えているカード集合体に関する。
【背景技術】
【０００３】
詐欺および盗難を防ぐために、クレジットカード、デビットカードおよび保蔵価値カードのようなトランザクションカードは、非有効状態で発行されており、カードは使用前に有効化されなければならない。別個の有効化工程は、少なくとも２つの重要な目標を果たすことができる。第１に、有効化により、カードが正当な権利を有するカード保持者の所有であることを保証することができる。正当な権利を有するカード保持者が、例えば、中央プロセッサにアクセスし、そして個人の識別情報を与えることによって受領を確認するときに、カードが有効化され得る。第２に、有効化により、カードが合法的な価値用に法的に有効に購入された（盗難ではない）ことを保証することができる。例えば、プリペイドカードは、例えば、このカードに対する販売および受領支払い時点においてカードを収容するパッケージ上のバーコードまたは磁気ストライプを走査することによって有効なファンド用に購入されるときに、有効化されてもよい。
【０００４】
有効化後、トランザクションカードは、商品およびサービスを商人から購入するのに使用され得る。クレジットカード、デビットカードおよび保蔵価値カードのようなほとんどのトランザクションカードは、アカウントと関連された磁気的にコード化されたデータを記憶する単一の磁気ストライプを有している。磁気ストライプは、商品およびサービスを購入するためにアカウントにおける値またはクレジットにアクセスする商取引における商業端末機で掃引される。代表的には、磁気ストライプは、クレジットまたはデビットネットワークのような通信ネットワークでカードアカウントファンドがアクセスされる商取引を可能にするデータでコード化されている。また、磁気ストライプは、有効化目的でのみコード化されてもよく、カードが正常に機能することにより、磁気ストライプを必要としないこともある。例えば、テレフォンカードは、その磁気ストライプを掃引することによって有効化されるワイヤレス電話呼出しのために使用されるＰＩＮを表示し、その後は、磁気ストライプは、ＰＩＮの値にアクセスするのに必要とされない。
【発明の開示】
【課題を解決するための手段】
【０００５】
１つの模範的な実施の形態では、ディスプレー部分およびトランザクションカードを備えているカード集合体が提供される。ディスプレー部分は、ほぼ平らな基質を備えている。トランザクションカードは、第１および第２の短縁および第１および第２の長縁を有するほぼ矩形でほぼ平らな基質を備えている。トランザクションカードは、更に、カード識別番号がコード化されている少なくとも１つの磁気ストライプを備えている。この少なくとも１つの磁気ストライプは、長縁とほぼ平行である。トランザクションカードは、短縁のうちの一方に沿って位置決めされた連結境界面のところでディスプレー部分に取外し可能に連結されている。
【０００６】
他の模範的な実施の形態では、カード集合体を有効化する方法が提供される。カード集合体は、商店において表示される。このカード集合体は、ディスプレー部分およびトランザクションカードを備えている。ディスプレー部分は、ほぼ矩形でほぼ平らな基質と、商店ディススプレーにおいてカード集合体を掛けるための掛け孔とを備えている。トランザクションカードは、第１および第２の短縁および第１および第２の長縁を有するほぼ平らな基質を備えている。少なくとも１つの磁気ストライプは、そこにコード化されているカード識別番号を有している。少なくとも１つの磁気ストライプは、長縁とほぼ平行である。トランザクションカードは、短縁のうちの一方に沿って位置決めされた連結境界面のところでディスプレー部分に取外し可能に連結されている。カード識別番号を商業端末機に入力する。この入力行為は、短縁のうちの少なくとも１つおよび長縁の各々の少なくとも四分の１が磁気ストライプカードリーダーの内側になるようにトランザクションカードを磁気ストライプリーダーに挿入することよりなる。この挿入行為は、トランザクションカードがディスプレー部分の連結されている間に行なわれる。トランザクションカードを有効化するための依頼を中央プロセッサに送り、この依頼は、カード識別番号を中央プロセッサに入力することよりなる。
【０００７】
他の模範的な実施の形態では、カード集合体は、ディスプレー部分およびトランザクションカードを備えている。ディスプレー部分は、ほぼ平らな基質を備えている。トランザクションカードは、第１および第２の短縁および第１および第２の長縁を有するほぼ矩形でほぼ平らな基質を備えている。更に、トランザクションカードは、カード識別番号がコード化されている磁気ストライプよりなる第１機械読取り可能な記憶媒体を備えている。この磁気ストライプは、短縁とほぼ平行である。トランザクションカードおよびディスプレー部分は、ほぼ同じ基質で構成されていて、単一の平らな部材として一体に形成されている。トランザクションカードは、短縁のうちの１つに沿って位置決めされた薄弱線のところでディスプレー部分に取外し可能に連結されている。磁気ストライプまたはバーコードのうちの少なくとも一方よりなる第２の機械読取り記憶媒体が、ディスプレー部分およびトランザクションカードのうちの少なくとも一方に配置されている。
【０００８】
他の模範的な実施の形態では、ディスプレー部分およびトランザクション部分を備えているカード集合体が提供される。ディスプレー部分は、第１の短縁と、第２の短縁と、第１の長縁と、第２の長縁とを有するほぼ平らなトランザクション部分基質を備えてもよい。トランザクション部分は、ディスプレー部分に取外し可能に連結されていてもよく、またトランザクション部分は、第１の短縁と、第２の短縁と、第１の長縁と、第２の長縁と、このトランザクション部分に付けられた機械読取り可能な有効化記憶媒体とを有するほぼ平らな基質を備えてもよい。有効化記憶媒体は、そこに記憶されたアカウントと関連された有効化データを有してもよい。ディスプレー部分およびトランザクション部分は、単一の平らな部材として一体に形成されてもよい。ディスプレー部分は、取外し接合部に沿ってトランザクション部分から分離可能であってもよい。取外し接合部は、一体の平らな部材に孔をあけるか或いは刻み目をつけることによって形成された薄弱線よりなってもよい。ディスプレー部分は、更に、取外し接合部に隣接していて、有効化記憶媒体の短縁の向かい側の使用制限された面領域を有してもよく、かかる領域は、例えば、商業端末機による有効化記憶媒体の読取りに干渉する（磁気ストライプのような）いずれの機械読取り可能な記憶媒体も無い。
【０００９】
本発明の幾つかの実施の形態の１つの利点は、標準サイズのトランザクションカードがディスプレー部分にまだ付けられている間に、このトランザクションカードが（ＡＴＭ型カードリーダーのような）カード読取り機械の内側に嵌ることができると言う点である。（標準のＡＴＭ機械のような）このようなカード挿入型カード読取り機械は、これにカードが挿入されるときに、しばしば、カードの３つの側面においてカードを封じ込む。例えば、トランザクションカードの一部のみが機械の物理的に外側にあるようにカードをかかる機械に途中まで（或いは全部）挿入することができる。このような機械は、しばしば、これに特定のサイズのカードのみが挿入されるように構成されている。カードは、代表的には、短縁を先にして挿入され、またカードは、代表的には、その長縁と平行に延びている時期ストライプを有している。
【００１０】
かくして、幾つかの実施の形態によれば、トランザクション部分およびディスプレー部分を備えているカード集合体は、ディスプレー部分がまだトランザクションカードに取付けられている間に、トランザクションカードを商業カード読取り端末機に挿入することによって有効化されることができる。従って、商人は、（例えば、トランザクションカードをカード集合体の残部から分離することによって）カード集合体を乱すことなしにここに記載のカード集合体のような製品を販売することできる。
【００１１】
このような実施の形態では、カード集合体は、短縁のところでディスプレー部分に取付けられている標準サイズのトランザクションカードを備えてもよい。（ディスプレー部分に取付けられていないトランザクションカードの他方の短縁は、カードリーダーに挿入され得る。挿入中、ディスプレー部分は、カードリーダーの外側に留まってもよい。ディスプレー部分は、トランザクション部分をカード読取り装置に挿入するために「取っ手」のように効果的に作用し得る。かくして、トランザクションカードは、ディスプレー部分に取付けられているにもかかわらず、カードを有効化するために、或いは（価値をカードに基づいたアカウントに加える機能、アカウントを失効化する機能などのような）他の機能を行なうために、このようなカード挿入端末機で読取られ得る。対照的に、長縁のうちの一方に沿って標準のトランザクションカードに取付けられたディスプレー部分を備えているカード集合体は、ＡＴＭ機械および他のカード挿入リーダーに挿入されることが不可能であってもよい。ディスプレー部分は、カード集合体を効果的に幅広くしてカードリーダーに挿入されることができないことがある。何故なら、カードリーダーは、代表的には、（トランザクションカードプラスディスプレー部分の寸法を有するカード集合体のような装置ではなく）通常のトランザクションカードの寸法を有する装置を受入れるように構成されているからである。
【００１２】
幾つかの実施の形態では、ディスプレー部分およびトランザクション部分のうちの１つまたはそれ以上が、カード挿入カードリーダーのような１つまたはそれ以上の異なる種類のカードリーダーにより読取り可能であってもよい（磁気ストライプのような）機械読取り可能な媒体を有してもよい。例えば、カード集合体は、ディスプレー部分およびトランザクション部分を備えてもよく、この場合、ディスプレー部分およびトランザクション部分の両方が、カード読取り装置に挿入され得る（および／または標準のクレジットカード端末機で掃引され得る）磁気ストライプを備えてもよい。
【発明を実施するための最良の形態】
【００１３】
図１、図２および図３は、本発明の幾つかの実施の形態のよるカード集合体の背面図、正面図および側面図を示している。図１ないし図３に示されるように、カード集合体１は、ディスプレー部分１０およびトランザクション部分２０を有してもよい。ディスプレー部分１０は、正面１１および背面１２を有するプラスチックまたはペーパシート材料のような適当な材料で形成されたほぼ平らな部材よりなってもよい。同様に、トランザクション部分２０は、正面２１および背面２２を有するプラスチックまたはペーパシート材料のような適当な材料で形成されたほぼ平らな部材よりなってもよい。このような実施の形態では、ディスプレー部分１０およびトランザクション部分２０の両方は、それぞれ、対向している長縁１４a、１４ｂ、２４a、２４ｂと、対向している短縁１３a、１３ｂ、２３a、２３ｂとを備えているほぼ矩形の形状を有してもよい。（ほぼ矩形のカード、例えば、デビットカードが丸い縁を有してもよいことは理解すべきである。）
ディスプレー部分１０およびトランザクション部分２０は、ディスプレー部分１０の短縁１３aのところと、トランザクション部分２０の短縁２３aのところとで取外し可能に接合されてもよい。ディスプレー部分１０およびトランザクション部分２０は、任意の適当な方法で取外し可能に接合されてもよく、この実施の形態では、ディスプレー部分１０およびトランザクション部分２０は、任意の適当な構成の単一の平らな部材に一体に形成されている。ディスプレー部分１０およびトランザクション部分２０は、例えば、折り曲げ、破断、切断、切り開きまたは剥ぎ取りによって２つのカード部分の分離を容易にするのに役立つ薄弱線よりなってもよい取外し接合部３０のところで分離可能であってもよい。取外し接合部３０、すなわち、薄弱線は、例として、カード部材に切目を入れるか或いは孔を設けることを含めて、当業界で公知な任意の適当な方法で形成される。従って、ディスプレー部分１０およびトランザクション部分２０は、取外し接合部３０、すなわち、薄弱線により分離される縁同士を合わせた関係で配置されてもよい。
【００１４】
他の実施の形態では、ディスプレー部分１０およびトランザクション部分２０は、１つの形態または他の形態で取外し可能に取付けられている別体に形成されてもよい。これらの実施の形態における取外し接合部３０は、例えば、接着剤、熱溶接、機械的留め具および連結装置を含めて、２つの物体を取外し可能に連結する任意の手段よりなってもよい。（ここで使用する場合、「連結境界面」は、２つの部分が互いに連結されるトランザクション部分とディスプレー部分との間の境界面を指している。連結境界面は、例えば、取外し接合部３０、すなわち、薄弱線よりなってもよい。）
トランザクション部分２０（および幾つかの実施の形態では、ディスプレー部分１０）は、クレジットカード、デビットカード、保蔵価値カードまたは他のカードのような商取引に使用されるプリペイドサービスカードまたは任意の標準カードよりなってもよい。保蔵価値カードは、プリペイド製品またはサービスのような１つまたはそれ以上の製品またはサービスにアクセスするのに使用されてもよいし、ＰＩＮにより使用可能にされてもよい。保蔵価値カードにより受入れられるか、或いはアクセスされるサービスの例としては、長距離電話通信、ワイヤレス通信、ページングおよびインターネット使用可能化通信サービスや、ワイヤレスウェッブアクセス、緊急ロードサービス、法律関係サービス、アカウンティングサービス、税サービス、財産整理および／または維持サービス、衣類／クリーニングサービス、輸送サービス、旅行サービス、配達サービス、オンライン（またはオフライン）年月日サービス、電気および／またはガスサービス、水サービス、汚水サービス、インターネットアクセス、フィルム処理（デジタルフィルム処理を含む）がある。保蔵価値カードによりアクセスされるプリペイドサービスおよび／または製品の他の例としては、ギフトアカウント、プリペイドガスアカウント、プリペイド食料品店アカウント、プリペイド娯楽アカウント、プリペイド映画アカウント、ダウンロード可能な音調アカウント、ダウンロード可能なゲームアカウント、ダウンロード可能な映画アカウント、ＭＰ３、ＭＰ４、ＷＭＶ、ＷＡＶまたは他の音楽フォーマットを使用するダウンロード可能な音楽アカウント、任意の他のダウンロード可能なソフトウエアアカウント、顧客懸賞アカウント、橋および／または道路料金アカウント、およびアカウントのオーナにより前払いされ得る製品、サービスまたはそれらの両方のための任意の他の種類のＰＩＮ使用可能化保蔵価値アカウントがある。任意の他の種類の保蔵価値カード製品またはサービスも、ここに意図される。
【００１５】
幾つかの実施の形態では、ディスプレー部分１０およびトランザクション部分２０の両方は、トランザクションカードについてのＡＮＳＩおよびＩＳＯ規格と一致するようになっていてもよい。
【００１６】
幾つかの実施の形態では、トランザクション部分２０は、その表面に付けられる有効化記憶媒体２５を備えてもよい。このような実施の形態では、有効化記憶媒体２５は、当業界で周知であって、クレジットカード、デビットカード、テレフォンカードまたは他のトランザクションカード用に使用されることができる機械読取り可能な磁気ストライプよりなってもよい。有効化記憶媒体２５は、従来のトランザクションカード読取り装置により読取り可能である標準データ暗号化プロトコルに応じてデータをコード化する読取り専用磁気コード化ストライプよりなってもよい。
【００１７】
図１に示されるように、有効化記憶媒体２５は、トランザクション部分２０の背面２２に付けられるが、例えば、有効化記憶媒体２５が、正面２１を含めて、トランザクション部分２０の任意に適当な位置で付けられてもよいことは理解されるであろう。更に、有効化記憶媒体２５は、例えば熱積層、接着剤または印刷技術を含めて、任意の適当な技術を使用してトランザクション部分２０に付けられてもよい。
【００１８】
有効化記憶媒体２５は、これの短縁２５a、２５ｂがそれぞれトランザクション部分２０の短縁２３a、２３ｂまで延びるように、ほぼトランザクション部分２０の長さに沿って延びてもよい。図１に示されるように、有効化記憶媒体２５は、トランザクション部分２０がトランザクションカードについてのＡＮＳＩおよびＩＳＯ規格に従うように、および／またはトランザクション部分２０をディスプレー部分１０から取外すことなしに１つまたはそれ以上の商業端末機により読取られるように、適当な方法でトランザクション部分２０の長縁２４ｂに沿って（或いは図４に示されるように、長縁２４aに沿って）配向されてもよい。商業端末機が、カード上の磁気ストライプを読取るように構成されている磁気ストライプリーダー、バーコードリーダーまたはキーパッドのようなコード化カード情報を入力したり或いは読取ったりするための入力装置を備えている任意の装置であってもよい。更に、図１に示されるように、短縁２３ｂ（すなわち、取外し接合部３０およびディスプレー部分１０と対向している縁）は、任意の他の部分または部材への取付けから免れている。この構成によれば、有効化記憶媒体２５は、世界中の或る場所において評判のよい標準のプッシュプル（またはＡＴＭのような）カードリーダーで読取られる。
【００１９】
図１および図４に示されるように、取外し接合部３０に隣接しいて、有効化記憶媒体２５の短縁２５aの向かい側のディスプレー部分１０の背面１２の面領域１９は、商業端末機により有効化記憶媒体２５の読取りに干渉する磁気ストライプを含めて、任意の機械読取り可能な記憶媒体が無くてもよい。この使用制限された面領域１９は、有効化記憶媒体２５がディスプレー部分１０まで延長されていれば覆われる面領域を有してもよい。他の言い方をすれば、使用制限された領域１９は、有効化記憶媒体２５の上側および下側の長縁がディスプレー部分１０の上方に延長されていれば境界決めされる領域を有する。この使用制限された領域１９は、ディスプレー部分１０の一部、または短縁１３a、１３ｂ間のディスプレー部分１０の長さだけ、延びてもよい。
【００２０】
使用制限された領域１９を制限する１つの目的は、トランザクション部分２０に配置される磁気ストライプを読取ろうとする磁気ストライプリーダーと干渉するかも知れないディスプレー部分１０に第２の磁気ストライプを有することを回避するためである。例えば、トランザクション部分２０が取外し接合部３０の縁（従って、ディスプレー部分１０の縁）まで延びている磁気ストライプを有するトランザクションカード（例えば、標準のデビットカード）よりなる実施の形態では、使用制限された領域１９は、磁気ストライプがトランザクション部分２０から取外し接合部３０を超えてディスプレー部分１０の長さを横切って延びていれば、磁気ストライプが占める領域よりなってもよい。
【００２１】
幾つかの実施の形態では、カードの他の領域が、使用制限されてもよい。例えば、他の部分の（磁気ストライプのような）機械読取り可能な媒体と向い合ってディスプレー部分または有効化部分の領域が使用制限されてもよいし、他の同様な機械読取り可能な媒体が無くてもよい。
【００２２】
本発明の幾つかの実施の形態では、トランザクション部分２０は、第２の磁気ストライプのような短縁４５a、４５ｂを有する第２の機械読取り可能な記憶媒体４５を有してもよい。図５に示されるように、有効化記憶媒体２５は、長縁２４aに沿って配向されており、第２の機械読取り可能な記憶媒体４５は、長縁２４ｂに沿って配向されている。両媒体２５、４５は、長縁２５a、４５aがトランザクション部分２０の短縁２３aまで延び、短縁２５ｂがトランザクション部分２０の短縁２３ｂまで延びるように、ほぼトランザクション部分２０の長さに沿って延びている。同様に、第１の使用制限された領域１９と同様な第２の使用制限された領域４９が、取外し接合部３０に隣接していて、有効化記憶媒体４５の短縁４５aの向い側のディスプレー部分１０の背面１２の表面領域に位置決めされている。第２の使用制限された領域４９は、商業端末機による有効化記憶媒体４５の読取りに干渉する磁気ストライプを含めて、いずれの機械読取り可能な記憶媒体も無い。
【００２３】
両媒体２５、４５は、いずれか一方がトランザクションカードについてのＡＮＳＩおよびＩＳＯ規格に従うように、および／またはトランザクション部分２０をディスプレー部分１０から取外すことなしに１つまたはそれ以上の商業端末機により読取られるように、適当な方法で位置決めされてもよい。更に、第２の機械読取り可能な記憶媒体４５は、有効化記憶媒体２５と同じまたは異なる機能性を有してもよい。この実施の形態では、トランザクション部分２０は、２つの記憶媒体２５、４５を有している。多数の記憶媒体を有する模範的なトランザクションカードが、「２つの磁気ストライプを備えたトランザクションカード」と称する同時出願され、共通に譲渡された米国特許出願第１０／８３５，３２０号（代理人ドケットＮｏ．６４２４３．００００２６号）（これは全体的に参照によりここに組み入れられる）に十分に述べられている。
【００２４】
幾つかの実施の形態では、ディスプレー部分１０もまた、機械読取り可能な記憶媒体５５を有してもよい。図６に示されるように、機械読取り可能な記憶媒体５５は、長縁１４aに沿って配向されてもよいし、また短縁５５a、５５ｂがそれぞれディスプレー部分１０の短縁１３a、１３ｂまで延びるようにほぼディスプレー部分１０の長さに沿って延びてもよい。第１の使用制限された領域１９と同様な第３の使用制限された領域５９が、取外し接合部３０に隣接していて、機械読取り可能な記憶媒体５５の短縁５５aの向かい側のディスプレー部分１０の背面２２に位置決めされてもよい。第３の使用制限された領域５９は、商業端末機による有効化記憶媒体５５の読取りに干渉する磁気ストライプを含めて、いずれの機械読取り可能な記憶媒体も無くてもよい。
【００２５】
両媒体２５、５５は、いずれか一方がトランザクションカードについてのＡＮＳＩおよびＩＳＯ規格に従うように、および／またはトランザクション部分２０をディスプレー部分１０から取外すことなしに１つまたはそれ以上の商業端末機により読取られるように、適当な方法で位置決めされてもよい。更に、第２の機械読取り可能な記憶媒体５５は、有効化記憶媒体２５と同じまたは異なる機能性を有してもよい。
【００２６】
有効化記憶媒体２５は、ここに記憶された有効化データを有してもよく、この有効化データは、有効化情報よりなる。例えば、有効化データは、トランザクション部分２０および／またはカードと関連されたアカウントを有効化するために使用可能であってもよい。例えば、有効化データは、当業界で周知であるように、伝統的なテレフォンカードまたはＰＩＮを有効化するために使用されるものと同様な有効化情報であってもよい。有効化データは、別に（或いは加えて）、他の情報、または口座番号、銀行照合番号（「ＢＩＮ」）および／または他の宛先コードのようなアカウントデータ、ＰＩＮおよび／または他のデータを備えてもよい。有効化データは、トランザクションデータについて開示されたように任意の種類のデータであってもよく、同様に、トランザクションデータは、有効化について開示されたように任意の種類のデータであってもよい。幾つかの実施の形態では、有効化データおよびトランザクションデータは、同じであってもよい。有効化記憶媒体２５は、テキスト、（目の走査または指紋情報のような）計量生物学的情報などのような任意の種類の情報を記憶したり、得たり、送信したり、或いは他の方法で取り扱ったりするために使用されてもよい。
【００２７】
また、有効化記憶媒体２５は、カード保持者が商人から品物および／またはサービスを購入するためにトランザクション部分２０を使用する商取引中、商業端末機（例えば、クレジットカード商取引のために使用される既存の商業端末機）により読取り可能であるようになっていてもよい。例えば、商業端末機が、カード上の磁気ストライプを読取るように構成されている磁気ストライプリーダー、バーコードリーダーまたはキーパッドのようなカード情報を入力するための入力装置を備えている任意の端末機であってもよいことは認識すべきである。また、商業端末機は、当業界で公知なように、クレジットカードデータのようなトランザクションカードデータを読取るように構成されている任意の商業端末機であってもよい。以上に述べたように、本発明のカード集合体は、世界中の或る場所において評判のよい標準のプッシュプル（またはＡＴＭのような）カードリーダーで使用するのに特に適していてもよい。
【００２８】
図１に示されるように、トランザクション部分２０は、更に、当業界で周知であるように、トランザクション部分２０と関連された口座と関連されたカード部材２８を有している。幾つかの実施の形態では、カード集合体購入者が製品の購入に引き続き、或るサービスへのアクセスを達成するために、トランザクション部分２０に対してＰＩＮまたは他のセキュリティ番号を有することが望ましいこともある。かかるＰＩＮまたは他のセキュリティ番号（図示せず）は、トランザクション部分２０に印刷されてもよいし、擦り取り材料、スティッカー、ラベル、またはＰＩＮまたはセキュリティ番号をほぼ目に見えなくする他の手段よりなってもよい除去可能な表面により一般視界から隠されてもよい。かくして、購入者は、購入前にカードを調べ、そしてＰＩＮまたはセキュリティ番号が危険にさらされていないことを確認することができる。これにより、トランザクション部分２０の使用のためにカード集合体１を購入する顧客は、カードが有効化されたら、権限の無い使用者が購入されたサービスへのアクセスを達成しないことを安全に感じることができる。除去可能な表面２９、すなわち、擦り取り材料、スティッカー、ラベル、またはＰＩＮまたはセキュリティ番号をほぼ目に見えなくする他の手段がまだそのままであるときのような他の状況では、カード集合体が使用されてはいけないので、カード集合体を小売人に返却することができる。
【００２９】
（図１に示されているような）有効化記憶媒体２５は、機械読取り可能なデータが記憶されている磁気ストライプを備えているが、他の記憶媒体がディスプレー部分１０またはトランザクション部分２０に使用されてもよいことは、理解されるであろう。例えば、ディスプレー部分１０は、バーコード１６を有してもよく、トランザクション部分２０は、バーコード２６を有してもよい。ＲＦＩＤ、光学的リードオンリーメモリ、他の磁気メモリ、スマートカードチップ、印刷番号またはコード、またはカード集合体の取付けられてもよい（或いは他の方法で関連されてもよい）情報を印刷するか或いは記憶する任意の他の手段のような他の記憶媒体が使用されてもよい。
【００３０】
ディスプレー部分１０並びにトランザクション部分１４は、それぞれ種々のカード表示(CARD  INDICIA）  １７、２７を有してもよい。このようなカード表示１７、２７としては、例えば、発行人名のような発行人表示、カード名またはカード種類表示（例えば、プラチナリワードカード、ゴールドカード、デビットカード、ギフトカードまたは他の種類のカード）、有効日付または失効日付を示す表示のような有効性表示、カードの使用説明、広告、クーポンまたはリベート情報、（購入中または購入後に印刷されてもよい）カード保持者名または写真のようなカード保持者表示がある。カード集合体１における表示のうちのいずれか１つまたはすべてが、トランザクション部分２０またはディスプレー部分１０に印刷（例えば、隆起された文字付けまたは番号付けでエンボス印刷）されても、記憶されても、コード化されても、或いは他の方法でマーク付けされてもよい。
【００３１】
図１に示されるように、ディスプレー部分１０は、例えば、カードをＪフックに掛けるための、或いはカードを店または他の保管設備に掛けるか或いは保管するための掛け形孔３５を有してもよい。別の実施の形態では、このような掛け孔がトランザクション部分２０に位置決めされてもよいし、或いはカード集合体１がこのような穴を有していなくてもよいことは、理解されるであろう。
【００３２】
また、トランザクション部分２０およびディスプレー部分１０が、更に、下記特徴、すなわち、アカウント番号、点打ちアカウント番号、未識別アカウント番号、セキュリティコード（例えば、クレジットカードの背面に一般に見られる３桁のセキュリティコード）、署名線、署名、権利のある使用者、有効日付、失効日付、署名ストライプ、全シールド箔、カード穴、色コード配列、特徴エンボス印刷、専用特徴像形成、ゴースティング、発行者名、発行者コード、バーコード、製造番号、ロゴス、記章、アートワーク、広告、ホログラフ、識別写真、パスワード、個人識別番号（ＰＩＮ）、識別番号、個人情報、計量生物学的情報、指紋、網膜痕跡、顔面痕跡、顔面情報、音声痕跡、使用説明文、電話番号、住所およびインターネットアドレスのうちのいずれか１つまたはすべてを単独または組合せで備えてもよいことは認められるべきである。
【００３３】
語「ディスプレー部分」および「トランザクション部分」が、ここでは、カード集合体１の２つの部分１０、２０を説明するために使用されることは理解すべきであり、ディスプレー部分１０およびトランザクション部分２０は、各々、アカウントを有効化する機能、価値について処理する機能、価値をアカウントに加える機能、アカウントをリチャージする機能、アカウント情報にアクセスする機能、または任意の他のファイナンシャル関連の機能のような種々の機能のうちのいずれか１つまたはそれ以上を有してもよい。ディスプレー部分１０およびトランザクション部分２０は、同様な或いは同じ機能を有してもよい。
【００３４】
カード集合体１および表示およびトランザクション部分１０、２０が、任意の有利な形状または寸法のものでもよいことは理解されるであろう。例として、トランザクション部分２０は、クレジットカード、デビットカード、テレフォンカード、他の保蔵価値カードまたは他のトランザクションカードのサイズ、形状および他の物理的特性を有してもよい。例えば、トランザクション部分２０は、標準のビザ／マスターカード／アメリカンエックスプレス／ディスカバークレジットカードまたはデビットカード、またはＡＴ＆Ｔ、ＭＣＩまたはベルアトランティックフォンカードの近似的な（正確な）長さ、幅、厚さおよび物理的構成を有してもよい。
【００３５】
トランザクション部分２０は、ファイナンシャルトランザクションカード用のＡＮＳＩ／ＩＳＯ７８１１およびＡＮＳＩ／ＩＳＯ７８１３のような工業規格に従ってもよい。トランザクション部分２０は、ディスプレー部分１０より小さくてもよいが、他の点では、ディスプレー部分１０と同じ物理的特性を有してもよい。変更例として、トランザクション部分２０は、任意の他のトランザクションカードの（サイズおよび形状のような）物理的特性を有してもよい。トランザクション部分のように、ディスプレー部分１０は、通常のトランザクション部分のようにほぼ矩形であってもよいし、丸い縁を有してもよい。
【００３６】
図７は、本発明の幾つかの実施の形態によるカード集合体の背面図を示している。図７に示されるように、カード集合体１００は、カード集合体１について図示されて以上に説明された特徴の多くを有してもよい。ディスプレー部分１１０およびトランザクション部分１２０は、それぞれ、対向している長縁１１４a、１１４ｂおよび１２４a、１２４ｂおよび対向している短縁１１３a、１１３ｂおよび１２３a、１２３ｂを有するほぼ矩形の形状を有してもよい。しかしながら、この実施の形態では、ディスプレー部分１１０およびトランザクション部分１２０は、ディスプレー部分１１０の長縁１１４aおよびトランザクション部分１２０の短縁１２３aのところで取外し可能に接合されている。以上のように、ディスプレー部分１１０およびトランザクション部分１２０は、例えば、折り曲げ、破断、切断、切り開きまたは剥ぎ取りによって２つのカード部分の分離を容易にするのに役立つ薄弱線よりなってもよい取外し接合部１３０のところで分離可能であってもよい。従って、この実施の形態では、ディスプレー部分１１０およびトランザクション部分１２０は、取外し接合部１３０により分離されている長縁と短縁とが対向した関係で配置されている。
【００３７】
トランザクション部分１２０は、その表面に付けられている有効化記憶媒体１２５を有してもよい。有効化記憶媒体１２５は、その短縁１２５a、１２５ｂがそれぞれトランザクション部分１２０の短縁１２３a、１２３ｂまで延びるように、ほぼトランザクション部分１２０の長さに沿って延びてもよい。図７に示されるように、有効化記憶媒体１２５は、トランザクション部分１２０がトランザクションカードについてのＡＮＳＩおよびＩＳＯ規格に従うように、および／またはトランザクション部分１２０をディスプレー部分１１０から取外すことなしに１つまたはそれ以上の商業端末機により読取られるように、適当な方法でトランザクション部分１２０の長縁１２４ｂに沿って（或いは他の実施の形態では、長縁１２４aに沿って）配向されてもよい。更に、図７に示されるように、たん縁１２３ｂ（取外し接合部１３０およびディスプレー部分１１０と反対の縁）は、任意の他の部分または部材への取付けから免れていてもよい。
【００３８】
取外し接合部１３０に隣接していて、有効化記憶媒体１２５の短縁１２５aの向かい側のディスプレー部分１１０の背面１１２の面領域１１９は、商業端末機により有効化記憶媒体１２５の読取りに干渉する磁気ストライプを含めて、任意の機械読取り可能な記憶媒体が無くてもよい。この使用制限された面領域１１９は、有効化記憶媒体１２５がディスプレー部分１１０まで延長されていれば覆われる面領域を有してもよい。他の言い方をすれば、使用制限された領域１１９は、有効化記憶媒体１２５の上側および下側の長縁がディスプレー部分１１０の上方に延長されていれば境界決めされる領域を有する。この使用制限された領域１１９は、ディスプレー部分１１０の一部、または長縁１１４a、１１４ｂ間のディスプレー部分１１０の長さだけ、延びてもよい。
【００３９】
図８は、本発明の他の実施の形態によるカード集合体の背面図を示している。図８に示されるように、カード集合体２００は、カード集合体１について図示され、以上で説明された特徴の多くを有してもよい。しかしながら、この実施の形態では、ディスプレー部分２１０は、そのボディから延びている肩部分２１２を有している。肩部分２１２の長縁２１４aは、トランザクション部分２２０の短縁２２３aに取外し可能に接合されてもよい。以上のように、ディスプレー部分２１０およびトランザクション部分２２０は、薄弱線よりなってもよい取外し接合部２３０のところで分離可能である。
【００４０】
トランザクション部分２２０は、その表面に付けられてもよい有効化記憶媒体２２５を有してもよい。有効化記憶媒体２２５は、その短縁２２５a、２２５ｂがそれぞれトランザクション部分２２０の短縁２２３a、２２３ｂまで延びるように、ほぼトランザクション部分２２０の長さに沿って延びている。図８に示されるように、有効化記憶媒体２２５は、トランザクション部分２２０がトランザクションカードについてのＡＮＳＩおよびＩＳＯ規格に従うように、および／またはトランザクション部分２２０をディスプレー部分２１０から取外すことなしに１つまたはそれ以上の商業端末機により読取られるように、適当な方法でトランザクション部分２２０の長縁２２４ｂに沿って（或いは他の実施の形態では、長縁２２４aに沿って）配向されてもよい。更に、図８に示されるように、短縁２２３ｂ（すなわち、取外し接合部２３０およびディスプレー部分２１０と対向している縁）は、任意の他の部分または部材への取付けから免れていてもよい。
【００４１】
取外し接合部２３０に隣接していて、有効化記憶媒体２２５の短縁２２５aの向かい側のディスプレー部分２１０の背面２１２の面領域２１９は、商業端末機による有効化記憶媒体２２５の読取りに干渉する磁気ストライプを含めて任意の機械読取り可能な記憶媒体が無くてもよい。この使用制限された面領域２１９は、有効化記憶媒体２２５がディスプレー部分２１０まで延長されていれば覆われる面領域を有してもよい。他の言い方をすれば、使用制限された領域２１９は、有効化記憶媒体２２５の上側および下側の長縁がディスプレー部分２１０の上方に延長されていれば境界決めされる領域を有する。この使用制限された領域２１９は、ディスプレー部分２１０の一部、または長縁２１４a、２１４ｂ間のディスプレー部分２１０の長さだけ、延びてもよい。
【００４２】
前述の実施の形態の各々において、取外し接合部に隣接していて、有効化記憶媒体の短縁の向かい側のディスプレー部分の領域は、商業端末機による有効化記憶媒体の読取りに干渉する磁気ストライプを含めて任意の機械読取り可能な記憶媒体が無くてもよい。この使用制限された領域は、有効化記憶媒体がディスプレー部分まで延長されていれば覆われる面領域を有してもよい。他の言い方をすれば、使用制限された領域は、有効化記憶媒体の上側および下側の長縁がディスプレー部分の上方に延長されていれば境界決めされる領域を有する。この使用制限された領域は、ディスプレー部分（または幾つかの実施の形態では、トランザクション部分）の一部、または短縁間のディスプレー部分の長さだけ、延びてもよい。
【００４３】
以上に述べたように、本発明の種々のカード集合体のトランザクション部分は、通信ネットワークを介して商業端末機から有効化データを受信するための遠隔装置および方法により販売時点で有効化されてもよい。例えば、商業端末機は、カード集合体のトランザクション部分の磁気ストライプ、すなわち、カードからの有効化データを掃引し、そして有効化データを有効化プロセッサに送ってもよい。このような装置が、受入れ側有効化または他の種類の有効化に対して受入れ側用に使用されてもよいことは認められるべきである。例えば、カード有効化または商取引は、商人のプライベートネットワーク（例えば、閉域ネットワーク）を通じて、或いは開域ネットワークを通じてではなく端末機自身で行なわれてもよい。ここでは、任意の種類のカード有効化、リチャージ、失効化などを含めて、いずれのカード関連の商取引が意図されることは認められるべきである。
【００４４】
本発明の実施の形態は、ここに記載の特定の実施の形態により範囲が限定されるものではない。実際、当業者には、前記の説明および添付図面から多くの変更例、変形例、置換例および同等例が明らかであろう。例えば、ここでは磁気ストライプが例として使用されているが、バーコードのような他の機械読取り可能な媒体がここで意図されることは、理解されるべきである。かくして、このような変更例は、添付の請求項の範囲内に入るものである。更に、本発明の実施の形態の幾つかを、特定の目的で特定の環境における特定の実施の内容でここに説明したが、当業者は、本発明の有用性がこれらに限定されず、また本発明の実施の形態が任意の数の目的で任意の数の環境において有利に実施されることができることをわかるであろう。従って、ここに記載され、添付図面に示された内容すべては、例示的のみのもとして見做され、限定の意味ではなく、また本発明の範囲は、添付の請求項によって定められるだけである。また、添付の請求項は、ここに開示したような本発明の実施の形態の全範囲および精神を考慮して解釈されるべきである。
【図面の簡単な説明】
【００４５】
【図１】本発明の実施の形態によるカード集合体の背面図である。
【図２】図１のカード集合体の正面図である。
【図３】図１のカード集合体の側面図である。
【図４】本発明の他の実施の形態による図１のカード集合体の背面図である。
【図５】本発明の他の実施の形態による図１のカード集合体の背面図である。
【図６】本発明の他の実施の形態による図１のカード集合体の背面図である。
【図７】本発明の他の実施の形態によるカード集合体の背面図である。
【図８】本発明の他の実施の形態によるカード集合体の背面図である。
【符号の説明】
【００４６】
１…カード集合体、１０…ディスプレー部分、２０…トランザクション部分、２５…有効化記憶媒体、３０…取外し接合部
【図１】
2005319806.tif 000003
【図２】
2005319806.tif 000004
【図３】
2005319806.tif 000005
【図４】
2005319806.tif 000006
【図５】
2005319806.tif 000007
【図６】
2005319806.tif 000008
【図７】
2005319806.tif 000009
【図８】
2005319806.tif 000010
【外国語明細書】
2005319806000001.pdf